(57)【要約】      （修正有）【課題】場所をとらずに、種々の形状、大きさの飲料等の容器を安定して保持して転倒を防止することができ、かつ簡易に製造できる容器転倒防止ホルダを提供する。【解決手段】容器転倒防止ホルダＨは、容器保持部１と、容器保持部１と着脱自在に係合して容器収容スペース３を縮小可能とする仕切部材２０と、容器保持部１における底壁部の下面に接着され、テーブル等の天板と接する下面側に、容器保持部１を天板上面に対して再剥離及び再固定可能に固定可能な接着力を有する平板状の固定体３０とを備える。容器保持部１は、矩形に形成される底壁部と、底壁部の周縁から上方に延びる４つの側壁からなる側壁部７とを備え、側壁部７における、仕切部材２０により縮小された際の容器収容スペース３の周壁となる部位には、容器の把手を受容可能に把手用開放部７ａが設けられる。【選択図】図１
0003162736.tif 000002
【実用新案登録請求の範囲】
【請求項１】
矩形に形成される底壁部と、前記底壁部の周縁から上方に延びる４つの側壁からなる側壁部と、を備えて、上方が開口した箱形に形成される容器保持部と、
前記容器保持部と着脱自在に係合して容器収容スペースを縮小可能とする仕切部材と、
前記側壁部における、前記仕切部材により縮小された際の前記容器収容スペースの周壁となる部位に、容器の把手を受容可能に形成される開放部と、
前記容器保持部における前記底壁部の下面に接着され、テーブル等の天板と接する下面側に、前記容器保持部を天板上面に対して再剥離及び再固定可能に固定可能な接着力を有する平板状の固定体と、
を備えることを特徴とする容器転倒防止ホルダ。
【請求項２】
前記側壁部における、１対の対向する側壁である第一側壁対の各々の対向する位置に、上下方向に直線状に延びる一対の第一凹溝対が形成され、
前記側壁部における、もう１対の対向する側壁である第二側壁対の各々の対向する位置に、上下方向に直線状に延びる一対の第二凹溝対が形成され、
前記仕切部材が、前記第二凹溝対に挿入される平板状の第一仕切板と、前記第一凹溝対に挿入される平板状の第二仕切板とを備え、第一仕切板は、前記第二凹溝対に挿入された際に前記第一凹溝対と対応する位置に上端縁から下方に延びるように形成される上向係合溝を備え、第二仕切板は、前記第一仕切板と交差して前記第一凹溝対に挿入されるように、前記第一凹溝対に挿入された際に前記第二凹溝対と対応する位置に下端縁から上方に延びるように形成される下向係合溝を備える
ことを特徴とする請求項１に記載の容器転倒防止ホルダ。
【請求項３】
前記第一凹溝対と前記第二凹溝対とがそれぞれ複数配置され、
前記第上向係合溝が前記第一凹溝対の数に対応して複数配置され、
前記第下向係合溝が前記第二凹溝対の数に対応して複数配置される
ことを特徴とする、請求項２に記載の容器転倒防止ホルダ。
【請求項４】
前記容器保持部の外周側に、上部が開口した有底の収納用区画をさらに備えることを特徴とする、請求項２または請求項３のいずれかに記載の容器転倒防止ホルダ。
【請求項５】
前記固定体が、衝撃吸収性を有して、上面と下面の両方に再剥離及び再固定可能な接着力を備えるゲル状粘着マットからなることを特徴とする、請求項１乃至請求項４のいずれかに記載の容器転倒防止ホルダ。
【請求項６】
前記側壁部における、少なくとも前記仕切部材により縮小された際の前記容器収容スペースの周壁となる部位に、前記側壁部を貫通する開口部が形成されることを特徴とする請求項５に記載の容器転倒防止ホルダ。
【考案の詳細な説明】
【技術分野】
【０００１】
本考案は主に飲料容器を卓上に保持して転倒を防止するための容器転倒防止ホルダに関する。
【背景技術】
【０００２】
オフィスや家庭等において何らかの作業中、飲料の入った容器を傍らのデスクやテーブル上に載置しておく場合に、何かの拍子にそれらの容器に衝撃を与えて転倒させてしまい、こぼれた飲料によりデスク上の書類を汚したり、電子機器を故障させてしまうことがある。そのような事態を未然に防ぐべく、飲料容器を安定してデスク等の天板上面に保持して転倒を防止するための器具が、種々提供されている。
【先行技術文献】
【特許文献】
【０００３】
【特許文献１】特開２００５−４０４６２号公報
【考案の概要】
【考案が解決しようとする課題】
【０００４】
例えば、特許文献１は、カップ等の容器を保持する略円筒形あるいは逆円錐台形の容器保持部と、容器保持部の底部下面に、デスク等の天板上面に吸着可能な吸盤体を備える容器転倒防止ホルダを開示する。しかし、容器保持部の底部下面に吸盤体を備える構成では、容器保持部の底部下面に吸盤を固着させるための構造が複雑であり、簡易に製造できない。また、オフィス等において仕事中に飲む飲料の容器は、マグカップ、ペットボトル、牛乳に代表される四角筒形状の紙パック等、形状や大きさが多岐に亘るところ、容器保持部が円筒形状であるものは、主にマグカップを収容することを想定したものであって、牛乳パックのような四角筒形状の容器を収容できず、仮に円筒形状としたホルダで四角筒形状の紙パックを収容するとすれば、径をかなり大きくする必要があり、デスク等における設置面積が大きくなってしまい望ましくない。
【０００５】
そこで、本考案は、場所をとらずに、種々の形状、大きさの飲料等の容器を、デスクやテーブル等の天板上面に安定して保持して転倒を防止することができ、かつ簡易に製造できる容器転倒防止ホルダを提供することを目的とする。
【課題を解決するための手段】
【０００６】
本考案に係る容器転倒防止ホルダは、矩形に形成される底壁部と、前記底壁部の周縁から上方に延びる４つの側壁からなる側壁部と、を備えて、上方が開口した箱形に形成される容器保持部と、
前記容器保持部と着脱自在に係合して容器収容スペースを縮小可能とする仕切部材と、
前記側壁部における、前記仕切部材により縮小された際の前記容器収容スペースの周壁となる部位に、容器の把手を受容可能に形成される開放部と、
前記容器保持部における前記底壁部の下面に接着され、テーブル等の天板と接する下面側に、前記容器保持部を天板上面に対して再剥離及び再固定可能に固定可能な接着力を有する平板状の固定体と、
を備えることを特徴とする。
【０００７】
このように構成された容器転倒防止ホルダは、容器保持部が、底壁部を矩形とする箱型に形成されているため、牛乳パック等の四角筒形状の紙パック入り飲料容器を、最小限の設置面積で保持することができる。
【０００８】
また、着脱自在の仕切部材を備えるため、大きな飲料容器には仕切部材を使用せず、小さな容器には仕切部材を使用して、容器の大きさに合わせて容器収容スペースを縮小することができるから、飲料容器をがたつきなく保持することができる。
【０００９】
また、側壁部における、仕切部材により縮小された容器収容スペースの周壁となる部位に、把手用開放部が形成されているため、容器収容スペースが縮小されない状態と縮小された状態の両方において、マグカップ等の把手付きの飲料容器を、把手を摘まみやすい態様で保持することができる。
【００１０】
また、容器保持部の底壁部の下面には、テーブル等の天板と接する下面側に、天板上面に対して容器保持部を再剥離及び再固定可能に固定可能な接着力を有する固定体が接着されるため、容器保持部が天板上面に対して接着固定されて、飲料容器のずれや転倒を防止し、飲料のこぼれを防止できる。固定体は平板状に形成され、容器保持部の底壁部の下面に単に接着されるもののため、複雑な取付構造を要さず、簡易に容器転倒防止ホルダを製造することができる。また、固定体は再剥離可能及び再固定可能に形成されるため、容易に容器転倒防止ホルダを一の場所から取り外し、移動させて別の場所に再度固定することができ、繰り返し使用することができる。また、この構成では、底壁部の面積以上の設置面積を必要としないため、場所をとらずに飲料容器を保持することができる。なお、本明細書における接着とは、粘着を含む広義の接着をいう。
【００１１】
上述の容器転倒防止ホルダにおいて、仕切部材による容器収容スペースの縮小構造を、次のように構成することが望ましい。すなわち、側壁部における、１対の対向する側壁である第一側壁対の対向する位置に、上下方向に直線状に延びる一対の第一凹溝対を形成する一方、もう一対の対向する側壁である第二側壁対の対向する位置に、上下方向に直線状に延びる一対の第二凹溝対を形成する。一方、仕切部材は、第二凹溝対に挿入される平板状の第一仕切板と、第一凹溝対に挿入される平板状の第二仕切板とを備えて構成し、第一仕切板に、第二凹溝対に挿入された際に第一凹溝対と対応する位置に上端縁から下方に延びる上向係合溝を形成し、第二仕切板における、第一凹溝対に挿入された際に第二凹溝対と対応する位置に下端縁から上方に延びる下向係合溝を形成する。
【００１２】
この構成によれば、第二凹溝対に挿入された第一仕切板は、第一凹溝対と対応する位置に上向係合溝を備える一方、第一凹溝対に挿入される第二仕切板が第二凹溝対と対応する位置に下向係合溝を備えるため、各々の係合溝の嵌合により、第一仕切板と第二仕切板は、交差した状態で容器収容スペース内に配置されて、縮小した容器収容スペースを形成することができる。どちらか片方の仕切板のみを使用することもできるから、より多種の大きさ、形状の容器をがたつきの無い密な状態で保持することができる。また、仕切部材が、各々板状の仕切板で構成されるため、仕切部材を使用しない際の収納が容易となる。
【００１３】
また、上述の構成においては、第一凹溝対と第二凹溝対とを、それぞれ複数設け、第一仕切板における上向係合溝を、第一凹溝対の数に対応して複数配置し、第二仕切板における下向係合溝も、第二凹溝対の数に対応して複数配置することが望ましい。この構成によれば、複数の各凹溝対の内、飲料容器の形状や大きさに合った位置の凹溝対に各仕切板を挿入して、容器収容スペースを多段階に縮小できるから、小さな湯呑から牛乳パックまで、また把手の有無にかかわらず、種々の形状、大きさの飲料容器を、がたつき無く密に保持して、転倒や飲料のこぼれを防止することができる。
【００１４】
また、仕切部材を２枚の仕切板から構成する場合には、容器保持部の外周側における任意の位置に、上部が開口した有底の収納用区画をさらに設けることとすれば、不使用時の仕切部材を収容したり、ペンや携帯電話等を立てておくことができる。
【００１５】
また、本考案に係る容器転倒防止ホルダにおいて、固定体を、衝撃吸収性を有して、上面と下面の両方に再剥離及び再固定可能な接着力を備えるゲル状粘着マットから構成すれば、ゲル状粘着マットを容器保持部の底壁部の下面に押し付けるようにして粘着させるだけで固定体とすることができるから、接着剤等を必要とせず、簡易に容器転倒防止ホルダを製造することができる。また、粘着力が弱まったとき等に、容器保持部から容易に取り外して洗い、粘着力を復活させて、再度容器保持部に固定させることができる。さらに、その衝撃吸収性により、ホルダに衝撃が加わった場合に、その衝撃をある程度吸収し、容器保持部に保持された飲料容器の転倒や飲料のこぼれを防止することができる。
【００１６】
固定体がゲル状粘着マットから構成される場合には、側壁部における、少なくとも前記仕切部材により縮小された際の容器収容スペースの周壁となる部位に、側壁部を貫通する開口部を設けることが望ましい。これによれば、熱い飲料の入った飲料容器が収容された場合に、飲料から伝わる熱が開口部から放出されて、容器収容スペース内に熱がこもることが防止され、熱によりゲル状粘着マットの粘着力が弱まることを防止することができる。
【考案の効果】
【００１７】
本考案に係る容器転倒防止ホルダは、場所をとらずに、種々の形状、大きさの飲料等の容器を、デスクやテーブル等の天板上面に安定して保持して転倒を防止することができ、かつ簡易に製造できる。
【図面の簡単な説明】
【００１８】
【図１】本考案の実施例である容器転倒防止ホルダの分解斜視図である。
【図２】容器保持部の斜視図である。
【図３】第一仕切板と、第二仕切板との正面図である。
【図４】容器保持部の底面を示す斜視図である。
【図５】第一仕切板と、第二仕切板とを装着した状態の容器転倒防止ホルダを示す斜視図である。
【図６】仕切部材を使用した場合の使用状態を示す図である。
【図７】収納用区画を備えた変形例を示す図である。
【考案を実施するための形態】
【００１９】
以下に本考案の望ましい実施形態を図面に基づいて説明する。
【００２０】
図１に示すように、本考案の一実施形態である容器転倒防止ホルダＨ（以下、単にホルダＨということがある）は、飲料等の容器を保持する容器保持部１と、容器保持部１における容器収容スペース３を縮小するのに使用される仕切部材２０と、容器保持部１の底壁下面に配置されて、容器保持部１を、デスクやテーブル等の天板上面に固定する固定体３０と、を備えて構成される。
【００２１】
図２に示すように、容器保持部１は、矩形の底壁部５と、底壁部５の４辺の周縁から上方に延びる４つの側壁からなる側壁部７を備えて、上方が開口した箱型に形成されるもので、底壁部５と、側壁部７とに囲まれる空間を容器収容スペース３とする。底壁部５は、本実施形態では縦横約９．５ｃｍの略正方形に形成される。側壁部７は、前壁部１１と、前壁部１１と対向する後壁部１２と、前壁部１１と後壁部１２とを連結して対向する右壁部１３と左壁部１４と、から構成される。本実施形態では、前壁部１１、後壁部１２、右壁部１３及び左壁部１４はいずれも高さ約６ｃｍに形成されている。この容器保持部１の大きさは、後述する仕切部材２０を使用しない場合に、一辺が約７ｃｍの四角筒形状の紙パック製飲料容器を収容可能な大きさである。
【００２２】
図１，２に示すように、前壁部１１の左右方向における中心から若干左側にずれた位置には、前壁部１１の一部を、マグカップ等の把手を受容可能に、上下に亘って切り欠くようにして形成した開放部７ａが設けられている。開放部７ａの右側における前壁部１１の内周側には、前壁部１１の上端から下端まで直線状に延びる凹溝１１ｂが形成されている。凹溝１１ｂは、後述する第二仕切板２５を挿入させるための部位で、本実施形態では、３本の凹溝１１ｂが、略等間隔に並設されている。
【００２３】
前壁部１１と対向する後壁部１２は、内周側における、左右方向において前壁部１１の凹溝１１ｂと対向する位置に、３本の凹溝１２ｂを備える。凹溝１２ｂは、凹溝１１ｂと同様、後壁部１２の上端から下端まで延びる直線状に形成されている。凹溝１１ｂと凹溝１２ｂとは、第二仕切板２５を挿入させる第一凹溝対１７を構成する。なお、前壁部１１と後壁部１２とを、第一側壁対４１という。
【００２４】
右壁部１３と左壁部１４とは、開放部７ａから離れた後縁側における相互に対向する位置に、凹溝１１ｂ，１２ｂと同様、各壁部１３，１４の上端から下端まで直線状に延びる凹溝１３ｂ，１４ｂを備える。本実施形態では、各々３本の凹溝１３ｂ，１４ｂが前後方向において略等間隔に並設されている。凹溝１３ｂと凹溝１４ｂとは、後述する第一仕切板２３を挿入させる第二凹溝対１９を構成する。なお、右壁部１３と左壁部１４とを、第二側壁対４３という。
【００２５】
容器保持部１の容器収容スペース３を縮小するのに使用される仕切部材２０は、容器保持部１に着脱自在に構成されるもので、本実施形態では、容器収容スペース３を前後方向に区画する第一仕切板２３と、左右方向に区画する第二仕切板２５と、から構成される。
【００２６】
図１〜３に示すように、第一仕切板２３は、横長の略矩形の平板状部材であって、上述した第二側壁対４３（右壁部１３，左壁部１４）に形成される第二凹溝対１９（凹溝１３ｂ，１４ｂ）に挿入されて、容器収容スペース３を前後方向に区画するものである。第一仕切板２３は、左右方向の寸法Ｗ２を、凹溝１３ｂ，１４ｂに挿入可能に、容器収容スペース３の左右方向の寸法Ｗ１より若干大きくし、上下方向の寸法を、本実施形態では、容器収容スペース３の上下方向の寸法に略一致させて形成されている。第一仕切板２３における、第二凹溝対１９に挿入された際に、第一側壁対４１（前壁部１１，後壁部１２）に形成される第一凹溝対１７（凹溝１１ｂ，１２ｂ）と、左右方向において対応する位置には、上端縁２３ｃから下方に延びるスリット状の上向係合溝２３ａが形成されている。本実施形態では、３個形成される第一凹溝対１７と対応し、３個の上向係合溝２３ａが設けられている。なお、本実施形態における各上向係合溝２３ａは、第一仕切板２３の上下方向の寸法の略１／２の長さに形成されている。
【００２７】
第二仕切板２５は、第一仕切板２３と同様、横長の略矩形に形成される平板状部材であって、上述した第一側壁対４１（前壁部１１，後壁部１２）に形成される第一凹溝対１７（凹溝１１ｂ，１２ｂ）に挿入されて、容器収容スペース３を左右方向に区画するものである。第二仕切板２５は、前後方向の寸法Ｌ２を、凹溝１１ｂ，１２ｂに挿入可能に、容器収容スペース３の前後方向の寸法Ｌ１より若干大きくし、上下方向の寸法を、本実施形態では、容器収容スペース３の上下方向の寸法に略一致し、第一仕切板２３の上下方向の寸法と略同一の寸法に形成されている。第二仕切板２５における、第一凹溝対１７に挿入された際に、第二側壁対４３（右壁部１３，左壁部１４）に形成される第二凹溝対１９（凹溝１３ｂ，１４ｂ）と、前後方向において対応する位置には、下端縁２５ｂから上方に延びるスリット状の下向係合溝２５ａが形成されている。本実施形態では、３個形成される第二凹溝対１９と対応し、３個の下向係合溝２５ａが設けられている。なお、本実施形態における各下向係合溝２５ａは、第二仕切板２５の上下方向の寸法の略１／２の長さに形成されている。
【００２８】
図４に示すように、固定体３０は、容器保持部１の底壁部５の下面５ａに配置されるもので、テーブルや机等の天板上面に対して、容器保持部１を、ずれや転倒が無いように固定するものである。本実施形態における固定体３０は、一般に、耐震マット、耐震用粘着マット等と呼ばれる、スチレン系、ポリウレタン系等の熱可塑性エラストマー等に粘着付与剤等を配合する等して製造される、平板状のゲル状粘着マットＭから構成されている。本実施形態では、厚みを３ｍｍとし、寸法を４ｃｍｘ４ｃｍとしたものを使用している。このゲル状粘着マットＭは、粘着性と衝撃吸収性を有し、家具や精密機械等の底面に貼着されて、家具等を設置床面に対して粘着固定させ、地震等の際に家具等に伝わる衝撃を減衰し、転倒を防止するのに使用される平板状のマット材で、高い粘着性を持つが、床面等に跡を残さず剥離でき、また、再固定可能なものである。本実施形態において固定体３０を構成するゲル状粘着マットＭは、上面３０ａ（図１参照）、下面３０ｂの両面において再剥離、再固定可能な粘着性を備えるもので、容器保持部１の底壁５の下面５ａに、上面３０ａの粘着性により粘着されている。本実施形態の固定体３０として使用されるのに好ましいゲル状粘着マットとしては、粘着性の高さの観点から、株式会社デビカが「地震番」の商品名で販売するものや、アイリスオーヤマ株式会社が、「転倒防止粘着マット」の商品名で販売するものが挙げられるが、同程度の粘着性を有するものであれば、これに限られるものではない。
【００２９】
このように構成される容器転倒防止ホルダＨの使用方法について次に説明する。
【００３０】
まず、牛乳パック等の比較的大きな飲料容器ＬＣを保持させる際には、仕切部材２０を装着しない状態で、容器保持部１を、軽くテーブル等の天板上面に押し付けるようにして載置する。すると、底壁部５の下面５ａに配置された固定体３０が、天板上面に対して粘着する。この状態で、図７の二点鎖線に示すように飲料容器ＬＣを容器保持部１の容器収容スペース３に収容すれば、天板上面に対して粘着固定されたホルダＨが、飲料容器ＬＣを保持して、転倒することを防止する。
【００３１】
比較的小さな飲料容器ＳＣを保持させる際には、仕切部材２０を使用して、容器収容スペース３を縮小する。具体的には、まず、固定体３０により、容器保持部１が、天板上面に対して粘着された状態で、第一仕切板２３を、図１，５及び６に示すように、凹溝１３ｂ，１４ｂからなる３本の第二凹溝対１９のうち、飲料容器ＳＣの大きさに適合する位置のものに挿入する。そして次に、第二仕切板２５を、凹溝１１ｂ，１２ｂからなる３本の第一凹溝対１７のうち、容器ＳＣの大きさに適合する位置のものに挿入する。その際、第一仕切板２３と第二仕切板２５とが、第一仕切板２３に形成された上向係合溝２３ａと第二仕切板２５に形成された下向係合溝２５ａとを利用して図１，５に示すように嵌合し、交差した状態で、容器収容スペース３に収容される。すると、図６に示すように、容器収容スペース３が、縮小収容スペース３Ａ（図５，６）として縮小され、小さな飲料容器ＳＣを密に収容させ、安定して保持することができる。飲料容器ＳＣが把手Ｔを備える場合は、図６に示すように、把手Ｔを開放部７ａに配置すれば、容器を持ち上げる際に、把手Ｔを摘まみやすい。
【００３２】
テーブル等の掃除の際や、ホルダＨ自体を移動させたい時は、容器保持部１を掴み、捻るようにすれば、固定体３０としてのゲル状粘着マットＭが、容易に天板から剥離し、ホルダＨが天板から分離される。
【００３３】
以上のように構成された容器転倒防止ホルダＨは、容器保持部１が、底壁部５を矩形とする箱型に形成されているため、牛乳パック等の四角筒形状の紙パック入り飲料容器を、最小限の設置面積で保持することができる。
【００３４】
また、着脱自在の仕切部材２０を備えるため、大きな飲料容器には仕切部材２０を使用せず、小さな容器には仕切部材２０を使用して、容器の大きさに合わせて容器収容スペース３を縮小することができるから、飲料容器をがたつきなく保持することができる。
【００３５】
また、側壁部７における、仕切部材２０により縮小された縮小収容スペース３Ａの周壁となる部位に、容器の把手Ｔを受容するための開放部７ａが形成されているため、容器収容スペース３が縮小されない状態と縮小された状態の両方において、マグカップ等の把手付きの飲料容器を、把手Ｔを摘まみやすい態様で保持することができる。
【００３６】
また、容器保持部１の底壁部５の下面５ａには、テーブル等の天板と接する下面３０ｂ側に、天板上面に対して容器保持部１を再剥離及び再固定可能に固定可能な接着力を有する固定体３０としてのゲル状粘着マットＭが接着されているため、容器保持部１が安定して天板上面に対して接着固定されて、飲料容器のずれや転倒を防止し、飲料のこぼれを防止できる。固定体３０は、平板状に形成されるものを、容器保持部１の底壁部５の下面５ａに単に接着により固定して構成しているため、複雑な取付構造を要さず、簡易に容器転倒防止ホルダＨを製造することができる。また、固定体３０は、安定して容器保持部１を天板上面に対して固定できる程度の接着力（粘着力）を有する一方、再剥離可能及び再固定可能に形成されるため、容易にホルダＨを一の場所から取り外し、移動させて別の場所に再度固定することができ、繰り返し使用することができる。また、この構成では、底壁部５の面積以上の設置面積を必要としないため、場所をとらずに飲料容器を保持することができる。
【００３７】
また、実施形態の容器転倒防止ホルダＨでは、側壁部７における、１対の対向する側壁である第一側壁対４１（すなわち、前壁部１１と後壁部１２）の対向する位置に、上下方向に直線状に延びる第一凹溝対１７が形成される一方、もう一対の対向する側壁である第二側壁対４３（すなわち、右壁部１３と左壁部１４）の対向する位置に、上下方向に直線状に延びる第二凹溝対１９が形成される。一方、仕切部材２０は、第二凹溝対１９に挿入される平板状の第一仕切板２３と、第一凹溝対１７に挿入される平板状の第二仕切板２５とを備え、第一仕切板２３は、第二凹溝対１９に挿入された際に第一凹溝対１７と対応する位置に上端縁２３ｃから下方に延びるように形成される上向係合溝２３ａを備え、第二仕切板２５は、第一凹溝対１７に挿入された際に第二凹溝対１９と対応する位置に下端縁２５ｂから上方に延びるように形成される下向係合溝２５ａを備える。
【００３８】
この構成によれば、第二凹溝対１９に挿入された第一仕切板２３は、第一凹溝対１７と対応する位置に上向係合溝２３ａを備える一方、第一凹溝対１７に挿入される第二仕切板２５が第二凹溝対１９と対応する位置に下向係合溝２５ａを備えるため、各々の係合溝２３ａ，２５ａの嵌合により、第一仕切板２３と第二仕切板２５は、交差した状態で容器収容スペース３内に配置されて、縮小した収容スペース３Ａを形成することができる。どちらか片方の仕切板２３／２５のみを使用することもできるから、より多種の大きさ、形状の容器をがたつきの無い密な状態で保持することができる。また、仕切部材２０が、各々板状の仕切板２３，２５で構成されるため、仕切部材２０を使用しない時に、２枚の板に分離でき、収納が容易となる。なお、図７に示すように、容器保持部１の外周側における任意の位置に、上部が開口した有底の収納用区画５０をさらに設けることとすれば、不使用時の仕切板２３，２５を収容したり、ペンや携帯電話等を立てておくことができる。
【００３９】
また、本実施形態の容器転倒防止ホルダＨでは、第一凹溝対１７と第二凹溝対１９とが、それぞれ複数個の３対ずつ設けられ、第一仕切板２３における上向係合溝２３ａが、第一凹溝対１７の数に対応して複数個の３個配置され、第二仕切板２５における下向係合溝２５ａも、第二凹溝対１９の数に対応して複数個の３個配置される。この構成によれば、複数の各凹溝対１７，１９の内、飲料容器の形状や大きさに合った位置の凹溝対に各仕切板を挿入して縮小収容スペース３Ａの大きさを多段階に調節できるから、小さな湯呑から牛乳パックまで、また把手の有無にかかわらず、種々の形状、大きさの飲料容器を、がたつき無く密に保持して、転倒や飲料のこぼれを防止することができる。もちろん、各凹溝対１７，１９の数は、３本に限られるものではなく、２本ずつとしてもよい。また、第一凹溝対１７と第二凹溝対１９の数を、相互に違えてもよい。さらに、上述の利点を考慮しなければ、凹溝対１７，１９を１本ずつとしてもよく、また、一方を１本とし、他方を複数本としてもよい。
【００４０】
なお、仕切部材２０を、２枚の仕切板２３と２５とから構成しない場合には、断面Ｌ字形の１個の仕切部材を前壁１１と左壁１４に係合させる態様で配置したり、または、予め十字に交差した形状の１個の仕切部材を容器収容スペース３内に配置することにより、容器収容スペース３を縮小することとしてもよい。
【００４１】
実施形態の容器転倒防止ホルダＨでは、固定体３０が、衝撃吸収性を有して、上面３０ａと下面３０ｂの両方に再剥離、再固定可能な粘着性を備えるゲル状粘着マットＭから構成されているので、ゲル状粘着マットＭを容器保持部１の底壁部５の下面５ａに押し付けるようにして粘着させるだけで固定体３０を作ることができるから、接着剤等を必要とせず、簡易に容器転倒防止ホルダＨを製造することができる。また、粘着力が弱まったとき等に、容器保持部１から容易に取り外して洗い、粘着力を復活させて、再度容器保持部１に固定させることができる。さらに、その衝撃吸収性により、ホルダＨに衝撃が加わった場合に、その衝撃をある程度吸収し、容器保持部１に保持された飲料容器の転倒や飲料のこぼれを防止することができる。
【００４２】
なお、固定体３０をゲル状粘着マットＭから構成する場合には、図６において二点鎖線で示すように、側壁部７における、少なくとも仕切部材２０（２３，２５）により縮小された際の縮小収容スペース３Ａの周壁となる部位に、側壁部７を貫通する開口部６０を設けてもよい。この構成によれば、熱い飲料が入った飲料容器ＳＣが収容された場合に、飲料から伝わる熱が開口部６０から放出され、収容スペース３，３Ａ内に熱がこもることが防止されるため、熱によりゲル状粘着マットＭの粘着力が弱まるのを防止することができる。
【００４３】
上面と下面の両面に粘着性を備えるゲル状粘着マットは、素材自体が自己粘着性を有するものと、ゲル状の基材の上面と下面の両方に粘着層を形成したものがあるが、どちらでもよい。また、容器保持部１からの取り外しを考慮しなければ、下面３０ｂ側のみに、テーブル等の天板上面へ再剥離及び再固定可能な接着力を有するものであればよく、容器保持部１への固定は、任意の接着剤を使用して永続的な固定としてもよい。
【符号の説明】
【００４４】
１  ・・・  容器保持部
３  ・・・  容器収容スペース
５  ・・・  底壁部
５ａ  ・・・  下面
７  ・・・  側壁部
７ａ  ・・・  開放部
１７  ・・・  第一凹溝対
１９  ・・・  第二凹溝対
２０    ・・・  仕切部材
２３  ・・・  第一仕切板
２３ａ  ・・・  上向係合溝
２３ｃ  ・・・  上端縁
２５    ・・・  第二仕切板
２５ａ  ・・・  下向係合溝
２５ｂ  ・・・  下端縁
３０  ・・・  固定体
３０ａ  ・・・  上面
３０ｂ  ・・・  下面
４１  ・・・  第一側壁対
４３  ・・・  第二側壁対
５０  ・・・  収納用区画
６０  ・・・  開口部
Ｍ  ・・・  ゲル状粘着マット
Ｈ  ・・・  容器転倒防止ホルダ
【図１】
0003162736.tif 000003
【図２】
0003162736.tif 000004
【図３】
0003162736.tif 000005
【図４】
0003162736.tif 000006
【図５】
0003162736.tif 000007
【図６】
0003162736.tif 000008
【図７】
0003162736.tif 000009